(57)【要約】【課題】帯域幅の異なる二種のセラミックフィルタが切替によって中間周波トランスに接続され、しかも、それらの通過中心周波数が所定の周波数からズレていた場合に、ズレの方向に広がる帯域を狭くして隣接妨害を少なくする。【解決手段】同調周波数可変型の中間周波トランス１と、中間周波トランス１の二次側に設けられた広帯域セラミックフィルタ３及び狭帯域セラミックフィルタ４と、二種のセラミックフィルタ３、４のいずれか一方を中間周波トランス１の二次側に接続する切替手段２とを備え、二つのセラミックフィルタ３、４のうちその通過中心周波数が高い方のセラミックフィルタ３と切替手段２とを結ぶ信号線とグランドとの間に第一のコンデンサ５を接続するか、又は／及び通過中心周波数が低い方のセラミックフィルタ４と切替手段２との間を第二のコンデンサ６によって結合した。【選択図】        図１
2004297319.tif 000002
【特許請求の範囲】
【請求項１】
同調周波数可変型の中間周波トランスと、前記中間周波トランスの二次側に設けられた広帯域セラミックフィルタ及び狭帯域セラミックフィルタと、前記二種のセラミックフィルタのいずれか一方を前記中間周波トランスの二次側に接続する切替手段とを備え、前記二つのセラミックフィルタのうちその通過中心周波数が高い方のセラミックフィルタと前記切替手段とを結ぶ信号線とグランドとの間に第一のコンデンサを接続するか、又は／及び通過中心周波数が低い方のセラミックフィルタと前記切替手段との間を第二のコンデンサによって結合したことを特徴とする中間周波フィルタ回路。
【請求項２】
前記切替手段を二つのスイッチダイオードによって構成したことを特徴とする請求項１に記載の中間周波フィルタ回路。
【発明の詳細な説明】
【０００１】
【発明の属する技術分野】
本発明は、中間周波トランスとそれに接続されるセラミックフィルタとを有する中間周波フィルタ回路に関する。
【０００２】
【従来の技術】
従来の中間周波フィルタ回路を図４によって説明する。中間周波トランスＴ１は、互いに磁気的に結合した一次側コイルＬ１と二次側コイルＬ２を備える。一時側コイルＬ１は、前段のミキサ回路（図示せず）に接続される入力端子１１Ａ、１１Ｂ間に接続され、コンデンサＣ１が一次側コイルＬ１に並列に接続される。また、一次側コイルＬ１の途中にミキサ回路へバイアス電圧を加えるタップ１１Ｃ設けている。二次側コイルＬ２は、一端が出力端子１２Ａに、他端がアース用端子１２Ｂにそれぞれ接続される。
【０００３】
そして、出力端子１２Ａが、抵抗１６を介してセラミックフィルタ１３に接続される。セラミックフィルタ１３は、三端子型のセラミックフィルタが用いられ、入力端子１４が二次側コイルＬ２の出力端子１２Ａに接続され、出力端子１５が中間周波フィルタ回路の出力端子も兼ねている（例えば、特許文献１参照。）。
【０００４】
【特許文献１】
特開平１１−１６３７５３（図１）
【０００５】
【発明が解決しようとする課題】
以上の構成では、セラミックフィルタの通過中心周波数が所定の中間周波数（例えば１０．７ＭＨｚ）に対してずれていた場合は、そのずれの方向の帯域が広くなるために隣接妨害を受けるので、その場合は中間周波トランスの同調周波数を調整してその通過中心周波数をセラミックフィルタの通過中心周波数のずれの方向とは反対の方向に移動させることで広くなった方の帯域を狭くすることができる。
【０００６】
しかし、中間周波フィルタ回路でデジタル音声放送用の広帯域の信号又はアナログ音声放送用の狭帯域の信号とを切り替えて伝送する場合には、図５に示すように、広帯域の中間周波トランスＴ１に広帯域セラミックフィルタ２１又は狭帯域セラミックフィルタ２２を切替手段２３によっていずれかを接続するようにしている。
【０００７】
このような場合、広帯域セラミックフィルタ２１の通過中心周波数と狭帯域セラミックフィルタ２２の通過中心周波数とは必ずしも一致しているとは限らないので、例えば、広帯域セラミックフィルタ２１のズレによる帯域の広がりを中間周波トランスＴ１の調整によって狭くするように補正すると、狭帯域セラミックフィルタ２２に対しては補正できないという問題ある。
【０００８】
そこで、本発明は、帯域幅の異なる二種のセラミックフィルタが切替によって中間周波トランスに接続され、しかも、それらの通過中心周波数が所定の周波数からズレていた場合に、ズレの方向に広がる帯域を狭くして隣接妨害を少なくすることを目的とする。
【０００９】
【課題を解決するための手段】
上記課題を解決するため、同調周波数可変型の中間周波トランスと、前記中間周波トランスの二次側に設けられた広帯域セラミックフィルタ及び狭帯域セラミックフィルタと、前記二種のセラミックフィルタのいずれか一方を前記中間周波トランスの二次側に接続する切替手段とを備え、前記二つのセラミックフィルタのうちその通過中心周波数が高い方のセラミックフィルタと前記切替手段とを結ぶ信号線とグランドとの間に第一のコンデンサを接続するか、又は／及び通過中心周波数が低い方のセラミックフィルタと前記切替手段との間を第二のコンデンサによって結合した。
【００１０】
また、前記切替手段を二つのスイッチダイオードによって構成した。
【００１１】
【発明の実施の形態】
以下、本発明の中間周波フィルタ回路を図１及び図２によって説明する。中間周波トランス１は、互いに磁気的に結合した一次側コイルＬ１と二次側コイルＬ２を備える。一時側コイルＬ１は、前段のミキサ回路（図示せず）に接続される入力端子１ａ、１ｂ間に接続され、コンデンサＣ１が一次側コイルＬ１に並列に接続される。また、一次側コイルＬ１の途中にミキサ回路へバイアス電圧を加えるタップ１ｃ設けている。二次側コイルＬ２は、一端が出力端子１ｄに、他端がアース用端子１ｅにそれぞれ接続される。
【００１２】
そして、出力端子１ｄが、切替手段２を構成する一方のスイッチダイオード２ａと他方のスイッチダイオード２ｂの各アノードに接続される。一方のスイッチダイオード２ａのカソードは通過帯域の広い広帯域セラミックフィルタ３の入力端子３ａに接続され、他方のスイッチダイオード２ｂのカソードは通過帯域の狭い狭帯域セラミックフィルタ４の入力端子４ａに接続される。二つのセラミックフィルタ３、４には三端子型のセラミックフィルタが用いられ、その通過中心周波数はほぼ所定の中間周波数（例えば１０．７ＭＨｚ）に一致するようになっているが、ばらつきによって若干のズレがある。
【００１３】
そこで、それらのうち通過中心周波数が高い方のセラミックフィルタ、例えば広帯域セラミックフィルタ３と切替手段（一方のスイッチダイオード２ａ）との間にはそれらを結ぶ信号線とグランドとの間に第一のコンデンサ５を接続する。また、通過中心周波数が低い方のセラミックフィルタ（この場合は狭帯域セラミックフィルタ４）と切替手段（他方のスイッチダイオード２ｂ）とは高周波的に直結する。広帯域セラミックフィルタ３の出力端子３ｂは中間周波フィルタ回路の一方の出力端子となり、狭帯域セラミックフィルタ４の出力端子４ｂは中間周波フィルタ回路の他方の出力端子となる。
【００１４】
なお、二つのスイッチダイオード２ａ、２ｂをオン／オフに切り替えるためには中間周波トランス１との間及び二つのセラミックフィルタ３、５との間を直流的に絶縁してアノード及びカソードに切替電圧を印加するが、その具体的な回路構成は省略している。
【００１５】
以上の構成では、第一のコンデンサ５はローパスフィルタの機能を有するため、通過中心周波数の高い広帯域セラミックフィルタ３の通過帯域のうち高域側が減衰して帯域が狭くなり、その結果、広帯域セラミックフィルタ３の見かけ上の通過中心周波数が低くなって狭帯域セラミックフィルタ４の通過中心周波数に近づく。そして、例えば広帯域セラミックフィルタ３のもとの通過中心周波数が所定の中間周波数よりも高い方に位置していた場合は、中間周波トランス１の調整によって全体的な通過中心周波数を所定の中間周波数に近づけることで、広帯域セラミックフィルタ３の高域側で受ける隣接妨害を軽減できる。
【００１６】
図２は、通過中心周波数の高い方のセラミックフィルタ（例えば広帯域セラミックフィルタ３）と切替手段（一方のスイッチダイオード２ａ）との間を高周波的に直結し、通過中心周波数の低い方のセラミックフィルタ（例えば狭帯域セラミックフィルタ４）と切替手段（他方のスイッチダイオード２ｂ）との間を第二のコンデンサ６によって結合した構成を示す。
【００１７】
この構成では、第二のコンデンサはハイパスフィルタの機能を有するので、通過中心周波数の低い狭帯域セラミックフィルタ４の通過帯域のうち低域側が減衰して帯域が狭くなり、その結果、狭帯域セラミックフィルタ４の見かけ上の通過中心周波数が高くなって狭帯域セラミックフィルタ４の通過中心周波数に近づく。そして、例えば、狭帯域セラミックフィルタ４のもとの通過中心周波数が所定の中間周波数よりも低い方に位置していた場合は、中間周波トランス１の調整によって全体的な通過中心周波数を所定の中間周波数に近づけることで、狭帯域セラミックフィルタ４３の低域側で受ける隣接妨害を軽減できる。
【００１８】
図３は、通過中心周波数が高い方のセラミック（例えば、広帯域セラミックフィルタ３）と切替手段（一方のスイッチダイオード２ａ）との間にはそれらを結ぶ信号線とグランドとの間に第一のコンデンサ５を接続し、通過中心周波数の低い方のセラミックフィルタ（例えば狭帯域セラミックフィルタ４）と切替手段（他方のスイッチダイオード２ｂ）との間を第二のコンデンサ６によって結合した構成を示す。
【００１９】
この構成では、広帯域セラミックフィルタ３の見かけ上の通過中心周波数と狭帯域セラミックフィルタ４の見かけ上の通過中心周波数とが一層近づくので双方のセラミックフィルタによる隣接妨害は一層軽減される。
【００２０】
【発明の効果】
以上説明したように、本発明の中間周波フィルタ回路は、二つのセラミックフィルタのうちその通過中心周波数が高い方のセラミックフィルタと切替手段とを結ぶ信号線とグランドとの間に第一のコンデンサを接続するか、又は／及び通過中心周波数が低い方のセラミックフィルタと切替手段との間を第二のコンデンサによって結合したので、二つのセラミックフィルタの見かけ上の通過中心周波数が近づき、帯域の高域側若しくは低域側で受ける隣接妨害を軽減できる。
【００２１】
また、切替手段を二つのスイッチダイオードによって構成したので、中間周波トランスと二つのセラミックフィルタとの接続が容易である。
【図面の簡単な説明】
【図１】本発明の中間周波フィルタ回路の構成を示す回路図である。
【図２】本発明の中間周波フィルタ回路の他の構成を示す回路図である
【図３】本発明の中間周波フィルタ回路の他の構成を示す回路図である
【図４】従来の中間周波フィルタ回路の構成を示す回路図である
【図５】従来の中間周波フィルタ回路の他の構成を示す回路図である
【符号の説明】
１  中間周波トランス
２  切替手段
２ａ、２ｂ  スイッチダイオード
３  広帯域セラミックフィルタ
４  狭帯域セラミックフィルタ
５  第一のコンデンサ
６  第二のコンデンサ
【図１】
2004297319.tif 000003
【図２】
2004297319.tif 000004
【図３】
2004297319.tif 000005
【図４】
2004297319.tif 000006
【図５】
2004297319.tif 000007